(57)【要約】  本発明で開示する移動通信システムで受信確認信号を受信する方法の一例は、仮想単位資源を通してデータの送信資源と前記データに対する制御情報の送信資源がスケジューリングされる場合、送信データに割り当てられる仮想単位資源及び前記送信データに対する制御情報に割り当てられる仮想単位資源のうち少なくとも一つに対する情報にマッピングされた前記送信データの受信確認信号を受信する資源情報を確認し、前記受信確認信号を受信する資源情報を用いて前記送信データの受信確認信号を受信することを含む。
2010530651.tif 000002
【特許請求の範囲】
【請求項１】
移動通信システムで、受信確認信号を受信する方法であって、
参照信号情報とデータの送信に割り当てられた資源ブロックに対応する資源ブロックインデックスとを受信し、
前記参照信号情報及び前記資源ブロックインデックスを用いて前記データに関する受信確認信号資源情報を確認し、
前記受信確認信号資源情報を用いて前記データの受信確認信号を受信することを含む、受信確認信号の受信方法。
【請求項２】
前記資源ブロックインデックスは、前記データの送信に割り当てられた資源ブロックに対する資源ブロックインデックスのうち最も小さい資源ブロックインデックスであることを特徴とする、請求項１に記載の受信確認信号の受信方法。
【請求項３】
前記参照信号情報は、特定のシークエンスに対する循環シフト値であることを特徴とする、請求項１に記載の受信確認信号の受信方法。
【請求項４】
前記特定のシークエンスと前記循環シフト値によって循環シフトしたシークエンスは、互いに直交するか、もしくは互いに良好な相互相関特性を有することを特徴とする、請求項３に記載の受信確認信号の受信方法。
【請求項５】
前記参照信号は、複数の参照信号を含む参照信号セットから割り当てられることを特徴とする、請求項１に記載の受信確認信号の受信方法。
【請求項６】
前記データの送信に割り当てられた資源ブロックの数は、前記移動通信システムに適用されるランク値以上であることを特徴とする、請求項１に記載の受信確認信号の受信方法。
【請求項７】
移動通信システムで、受信確認信号を受信する方法であって、
制御チャネルの送信に割り当てられた資源ブロックに対応する資源ブロックインデックスにマッピングされた受信確認信号資源インデックスを確認し、
前記受信確認信号資源インデックスに対応する受信確認信号資源ブロックを通して前記制御チャネルと関連したデータに対する受信確認信号を受信することを含み、
前記受信確認信号資源インデックスの少なくとも一つは、複数の資源ブロックインデックスに重複マッピングされることを特徴とする、受信確認信号の受信方法。
【請求項８】
前記受信確認信号資源インデックスは、所定の受信確認信号資源インデックスグループ単位で前記複数の資源ブロックインデックスに重複マッピングされることを特徴とする、請求項７に記載の受信確認信号の受信方法。
【請求項９】
前記所定の受信確認信号資源インデックスグループ内の受信確認信号資源インデックスは、互いに異なるマッピング規則で重複マッピングされることを特徴とする、請求項８に記載の受信確認信号の受信方法。
【請求項１０】
前記受信確認信号資源ブロックの衝突を避けられるように、前記受信確認信号資源インデックスが前記複数の資源ブロックに重複マッピングされることを特徴とする、請求項７に記載の受信確認信号の受信方法。
【請求項１１】
前記資源ブロックインデックスは、前記制御チャネルの送信に割り当てられた資源ブロックに対する資源ブロックインデックスのうち最も小さい資源ブロックインデックスであることを特徴とする、請求項７に記載の受信確認信号の受信方法。
【発明の詳細な説明】
【技術分野】
【０００１】
本発明は、移動通信システムに関するものである。より具体的には、移動通信システムにおける受信確認のための受信確認（ＡＣＫ／ＮＡＣＫ）信号の送受信に関するもので、特に、受信確認信号の送受信に使用される資源情報を送信する方法に関するものである。
【背景技術】
【０００２】
一般的に、多重搬送波通信システムにおいて、基地局は、ダウンリンクを通して各端末に送信するデータを制御し、端末がアップリンクを通して基地局に送信するデータも制御する。基地局は、ダウンリンク／アップリンクのデータ送信を制御するために各端末に制御情報を送信する。このような制御情報は、ダウンリンクの資源の一部分を通して端末に送信される。
【０００３】
上述したように、基地局でダウンリンク／アップリンクのデータ送信を制御することをスケジューリングと称することができ、制限された無線資源を多数の端末または多数のサービスのために制御することを無線資源スケジューリングと称することができる。このような無線資源スケジューリングは、データ送信に使用される実際の単位資源を通して行われる。この場合、基地局でのスケジューリング単位資源と、実際のデータ送信に使用される物理的単位資源とは同一のものとみなすことができる。
【０００４】
図１は、多重搬送波システムにおける無線資源の利用の一例を示す。
【０００５】
図１を参照すれば、ダウンリンク及びアップリンクのそれぞれの無線資源、すなわち、時間−周波数資源がデータ送信のために使用されることを確認することができる。そして、ダウンリンク無線資源の場合、データのみならず、上述したダウンリンク／アップリンクのデータ送信を制御するための制御情報送信のために一部の無線資源が使用されることを確認することができる。
【０００６】
端末は、ダウンリンク無線資源を通して送信される基地局の制御情報を受信し、ダウンリンク無線資源を通して端末に送信されるデータの無線資源情報などを獲得し、ダウンリンクデータを受信することができる。また、端末は、ダウンリンク無線資源を通して送信される基地局の制御情報を受信し、アップリンク無線資源を通して端末が基地局に送信するデータの無線資源情報などを獲得し、アップリンクデータを送信することができる。図１には示していないが、アップリンク無線資源を通して、各端末は、チャネル状態、データ受信状態、端末の状態などを基地局に知らせることのできる制御情報を送信することもできる。
【０００７】
基地局から端末に送信されるダウンリンクまたは端末から基地局に送信されるアップリンクを通して送信されたデータが正常に受信されたかどうかを、各受信側で受信確認（ＡＣＫ／ＮＡＣＫ）信号を送信することによって送信側に知らせることができる。
【０００８】
より具体的には、データ通信の信頼性を高めるために、受信側は、データを正常に受信した場合に肯定の受信確認信号（ＡＣＫ：Ｐｏｓｉｔｉｖｅ−Ａｃｋｎｏｗｌｅｄｇｅｍｅｎｔ）を送信側に送信し、データを正常に受信していない場合に否定の受信確認信号（ＮＡＣＫ：Ｎｅｇａｔｉｖｅ−Ａｃｋｎｏｗｌｅｄｇｅｍｅｎｔ）を送信する。
【０００９】
このようなＡＣＫ／ＮＡＣＫ信号自体もダウンリンクまたはアップリンクを通して送信されるので、物理的な周波数および時間資源を占める。基地局がダウンリンクを通して送信したデータに対して端末がアップリンクを通してＡＣＫ／ＮＡＣＫ信号を送信した場合、基地局は、そのデータに対して端末がＡＣＫ／ＮＡＣＫ信号を送信する資源の位置を知っていなければならない。一方、基地局がＡＣＫ／ＮＡＣＫ信号を送信したときには、端末が、ＡＣＫ／ＮＡＣＫ信号を送信する資源の位置を知っていなければならない。
【発明の概要】
【発明が解決しようとする課題】
【００１０】
上述したような背景技術において、本発明は、移動通信システムにおける受信確認のためのＡＣＫ／ＮＡＣＫ信号の送信方法を提供することを目的とする。また、ＡＣＫ／ＮＡＣＫ送信に使用される資源情報を決定する方法を提供することを目的とする。さらに、移動通信システムでＡＣＫ／ＮＡＣＫ送信に使用される資源情報を知らせる方法を提供することを目的とする。
【課題を解決するための手段】
【００１１】
上述した目的を達成するための本発明の一実施様態に係る通信システムで受信確認信号を受信する方法は、参照信号情報とデータの送信に割り当てられた資源ブロックに対応する資源ブロックインデックスとを受信し、前記参照信号情報及び前記資源ブロックインデックスを用いて受信確認信号資源情報を確認し、前記受信確認信号資源情報を用いて前記データの受信確認信号を受信することを含む。
【００１２】
前記資源ブロックインデックスは、前記データのための複数の資源ブロックに対する資源ブロックインデックスのうち最も小さい資源ブロックインデックスであってもよい。
【００１３】
前記参照信号情報は、特定のシークエンスに対する循環シフト値であってもよい。ここで、前記特定のシークエンスと前記循環シフト値によって循環シフトしたシークエンスは、互いに直交するか、もしくは互いに良好な相互相関特性を有することが望ましい。
【００１４】
前記参照信号は、複数の参照信号を含む参照信号セットから割り当てられる（選択される）。
【００１５】
前記データに割り当てられる資源ブロックの数は、前記移動通信システムに適用されるランク値より大きいかそれと同じである。
【００１６】
本発明の他の実施様態に係る通信システムで受信確認信号を受信する方法は、送信データに対する制御チャネルの送信に割り当てられる資源ブロックインデックスにマッピングされた前記送信データの受信確認信号資源インデックスを確認し、前記受信確認信号資源インデックスに対応する資源ブロックを通して前記制御チャネルと関連したデータの受信確認信号を受信することを含み、前記受信確認信号資源インデックスの少なくとも一つは複数の資源ブロックインデックスに繰り返しマッピングされる（すなわち、重複マッピングされる）ことを特徴とする。
【００１７】
前記受信確認信号資源インデックスは、所定の受信確認信号資源インデックスセット単位で前記複数の資源ブロックインデックスに繰り返しマッピングされてもよい。
【００１８】
前記受信確認信号資源インデックスセット内の受信確認信号資源インデックスは、互いに異なるマッピング規則で繰り返しマッピングされてもよい。
【００１９】
前記受信確認信号資源インデックスセット内の受信確認信号資源インデックスは、重複マッピング時に、実際の送信に使用される受信確認信号資源の衝突を避けるように繰り返しマッピングされることが望ましい。
【００２０】
前記資源ブロックインデックスは、前記制御情報に割り当てられる複数の資源ブロックに対する資源ブロックインデックスのうち最も小さい資源ブロックインデックスであってもよい。
【００２１】
本発明の更に他の実施様態に係る通信システムで受信確認信号を受信する方法は、送信データに対する制御情報に割り当てられる資源ブロックインデックスにマッピングされた前記送信データの受信確認信号資源インデックスを確認し、前記受信確認信号資源インデックスによって前記送信データの受信確認信号を受信することを含み、少なくとも一つの前記資源ブロックインデックスに対して、同一の受信確認信号資源インデックスが繰り返しマッピングされることを特徴とする。
【００２２】
前記受信確認信号資源インデックスの前記少なくとも一つには複数の資源ブロックインデックスがマッピングされ、前記複数の資源ブロックインデックス別に互いに異なるマッピング規則でマッピングされることが望ましい。
【発明の効果】
【００２３】
本発明で開示する移動通信システムでの受信確認信号の送信方法を適用することによって、受信確認信号の資源情報を効率的に獲得することができる。さらに、受信確認信号の送信のための資源をより効率的に用いることができる。
【００２４】
また、移動通信システムでの受信確認信号の送信のための資源割り当てを容易に行うことができる。また、別途の受信確認信号の送受信のための資源情報を送信しないことによって、制御情報量を減少させることもできる。
【００２５】
また、ＭＩＭＯ技法が適用される通信システムでも、受信確認信号を送信するための資源を容易に拡張することができる。さらに、受信確認信号を通してデータ通信の信頼性を高めることができる。
【図面の簡単な説明】
【００２６】
【図１】多重搬送波システムにおける無線資源の利用の一例を示す図である。
【図２】本発明の一実施例に係るＡＣＫ／ＮＡＣＫインデックス決定方法を説明するための図である。
【図３】本発明の他の実施例に係るＡＣＫ／ＮＡＣＫインデックス決定方法を説明するための図である。
【図４】本発明の他の実施例に係るＡＣＫ／ＮＡＣＫインデックス決定方法を説明するための図である。
【図５】本発明の他の実施例に係るＡＣＫ／ＮＡＣＫインデックス決定方法を説明するための図である。
【図６】本発明の更に他の実施例として、仮想単位資源の順序によってＡＣＫ／ＮＡＣＫインデックスを決定する方法を説明するための図である。
【図７】ＭＩＭＯを使用したときの資源を説明するための図である。
【図８】ＭＩＭＯ方式が適用される多重搬送波システムで各コードワードがＭＩＭＯシステムの送信アンテナに伝達される一般的な過程を示す図である。
【図９】ＭＩＭＯ方式が適用される多重搬送波システムでコードワードに該当するデータが各送信アンテナポートに連結される一例を示す図である。
【図１０】ＭＩＭＯ方式が適用される多重搬送波システムでコードワードに該当するデータが各送信アンテナポートに連結される他の例を示す図である。
【図１１】本発明の更に他の実施例によってオフセットインデックスを追加的に用いる方法を説明するための図である。
【図１２】本発明の更に他の実施例によってオフセットインデックスを追加的に用いる方法を説明するための図である。
【図１３】本発明の更に他の実施例が望ましくない形で適用される場合を説明するための図である。
【図１４】本発明の更に他の実施例によってオフセットインデックスを追加的に用いる方法を説明するための図である。
【図１５】本発明の更に他の実施例によってオフセットインデックスを追加的に用いる方法を説明するための図である。
【図１６】本発明の更に他の実施例によるＡＣＫ／ＮＡＣＫインデックス決定方法の一例を説明するための図である。
【図１７】本発明の更に他の実施例によるＡＣＫ／ＮＡＣＫインデックス決定方法の一例を説明するための図である。
【発明を実施するための形態】
【００２７】
以下、本発明に係る好適な各実施形態を添付の図面を参照して詳細に説明する。
【００２８】
種々の端末が資源を共同で使用して送／受信できるように、基地局は、スケジューリングを通して各端末の使用する無線資源を決定し、これを端末に知らせることができる。このとき、仮想単位資源という論理的資源概念によって、基地局は、データを送／受信する資源を制御することができる。このような論理的資源である仮想単位資源は、物理的資源と特定の規則によって１対１に対応している。
【００２９】
すなわち、以下の本発明の各実施例は、無線資源スケジューリングをデータ送信に使用される実際の単位資源を用いて行うのでなく、基地局で間接的に仮想単位資源を用いてスケジューリングを行うことを特徴とする。この場合、基地局でのスケジューリングに用いられる仮想の単位資源と実際の物理的単位資源との間に一定の関係が与えられ、基地局が仮想単位資源に基づいて無線資源をスケジューリングする。このスケジューリングを反映して、送信データは、実際の物理的単位資源にマッピングされて受信側に送信される。
【００３０】
上述したように、ＡＣＫ／ＮＡＣＫ信号もアップリンク／ダウンリンクの特定の資源を通して送信されるので、ＡＣＫ／ＮＡＣＫ信号が送信される各資源を知ることによって、受信側はＡＣＫ／ＮＡＣＫ信号を送信することができる。また、ＡＣＫ／ＮＡＣＫ信号が送信される各資源を知ることによって、データの送信側でも、アップリンク／ダウンリンクを通して送信したデータと該当のＡＣＫ／ＮＡＣＫ信号を関連づけることができる。
【００３１】
例えば、ＡＣＫ／ＮＡＣＫ信号を受信するために、送信側では、送信データに割り当てられる仮想単位資源または送信データに対する制御情報に割り当てられる仮想単位資源に対する情報によって送信データのＡＣＫ／ＮＡＣＫ信号を受信する資源情報を類推する。そして、送信側は、ＡＣＫ／ＮＡＣＫ信号を受信する資源情報を用いて送信データのＡＣＫ／ＮＡＣＫ信号を受信することができる。
【００３２】
データの受信側でＡＣＫ／ＮＡＣＫ信号を送信する方法も上記と類似している。すなわち、受信側は、送信データに割り当てられる仮想単位資源または送信データに対する制御情報に割り当てられる仮想単位資源に対する情報によって送信データのＡＣＫ／ＮＡＣＫ信号を送信する資源情報を類推し、ＡＣＫ／ＮＡＣＫ信号を送信する資源情報を用いて送信データのＡＣＫ／ＮＡＣＫ信号を送信することができる。
【００３３】
さらに、送信データまたは前記送信データに対する制御情報に仮想単位資源セット、すなわち、複数の仮想単位資源が割り当てられるが、この場合、仮想単位資源セットに含まれた複数の仮想単位資源のうち一つの仮想単位資源を通してＡＣＫ／ＮＡＣＫ信号を送信する資源情報を確認し、これを用いて前記送信データのＡＣＫ／ＮＡＣＫ信号を受信することができる。
【００３４】
以下では、ＡＣＫ／ＮＡＣＫ信号がアップリンク／ダウンリンクの特定の単位資源を通して送信され、ＡＣＫ／ＮＡＣＫ信号が送信される各単位資源に対して資源番号を割り当てて用いると仮定する。そして、アップリンク／ダウンリンクを通してＡＣＫ／ＮＡＣＫ信号が送信される各単位資源に対して割り当てられる資源番号を、ＡＣＫ／ＮＡＣＫインデックスと称する。この場合、基地局や端末は、ＡＣＫ／ＮＡＣＫインデックスを用いて、データ受信側ではＡＣＫ／ＮＡＣＫ信号を送信し、データ送信側ではいずれのデータに対するＡＣＫ／ＮＡＣＫ信号であるかを確認することができる。
【００３５】
第１の実施例−ＶＲＢ利用
上述した仮想単位資源の一つとして仮想資源ブロック（ＶＲＢ：Ｖｉｒｔｕａｌ  Ｒｅｓｏｕｒｃｅ  Ｂｌｏｃｋ）を挙げることができる。ＶＲＢは、データ送信のための仮想的な単位資源である。ＶＲＢは、複数の資源要素（ＲＥ：Ｒｅｓｏｕｒｃｅ  Ｅｌｅｍｅｎｔ）を含むように構成される。実際の物理的な単位資源を物理資源ブロック（ＰＲＢ：Ｐｈｙｓｉｃａｌ  Ｒｅｓｏｕｒｃｅ  Ｂｌｏｃｋ）というとすると、一般的に一つのＶＲＢが含むＲＥの個数は一つのＰＲＢが含むＲＥの個数と同じであり、実際のデータ送信で、一つのＶＲＢは、一つのＰＲＢにマッピングされたり、複数のＰＲＢの一部領域にマッピングされたりする。一つのＶＲＢを一つのＰＲＢにマッピングする場合、以下でＶＲＢがＰＲＢに取り替えられて説明されてもよいことは当然である。
【００３６】
基地局から特定の端末へのダウンリンクデータ送信、または特定の端末から基地局へのアップリンクデータ送信に対するスケジューリングは、一つのサブフレーム内で一つまたは複数のＶＲＢを通して行われる。このとき、基地局は、特定の端末にダウンリンクデータを送信するときに、基地局がいずれのダウンリンクＶＲＢを通してデータを送信するかをその端末に知らせる。また、特定の端末がアップリンクデータを送信できるように、基地局は、いずれのアップリンクＶＲＢを通してデータを送信可能であるかをその端末に知らせる。
【００３７】
本実施例では、多重搬送波基盤のシステムでデータ受信側が受信したデータに対するＡＣＫ信号とＮＡＣＫ信号を送信するとき、ＡＣＫ／ＮＡＣＫ信号が送信される正確な資源位置に関する情報を獲得または送信する方法の一例としてＶＲＢ情報を用いる方法を開示する。
【００３８】
図２は、本発明の一実施例に係るＡＣＫ／ＮＡＣＫインデックス決定方法を説明するための図である。
【００３９】
以下、ＶＲＢの位置またはＶＲＢに割り当てられる資源番号をＶＲＢインデックスと称する。本実施例によれば、送信側が、送信データを一つ以上のＶＲＢに割り当てて送信する場合、ＶＲＢインデックスとＡＣＫ／ＮＡＣＫインデックスとの間に関係を与えることによって、受信側は、ＡＣＫ／ＮＡＣＫ信号が送／受信される資源に関する情報を獲得することができる。
【００４０】
図２を参照すれば、ＶＲＢインデックスのそれぞれにＡＣＫ／ＮＡＣＫインデックスが割り当てられる例を確認することができる。ＶＲＢインデックスごとにＡＣＫ／ＮＡＣＫインデックスが割り当てられ、受信側は、データ送受信のために割り当てられるＶＲＢのＶＲＢインデックスによってＡＣＫ／ＮＡＣＫインデックスを確認し、これによって、該当のデータに対してＡＣＫ／ＮＡＣＫ信号を送信するＡＣＫ／ＮＡＣＫ資源情報を獲得することができる。
【００４１】
図２に示すように、一つの端末に対するデータが複数個のＶＲＢに割り当てられて送信される。１個のデータに対しては１個のＡＣＫ／ＮＡＣＫ信号送信を必要とするので、複数個のＶＲＢにデータが割り当てられて送信された場合、データが割り当てられた各ＶＲＢのＶＲＢインデックスのうち１個を選定し、選定したＶＲＢインデックスに対応するＡＣＫ／ＮＡＣＫインデックスに対する資源を用いてＡＣＫ／ＮＡＣＫ信号を送信することができる。例えば、種々のＶＲＢに割り当てられて送信されたデータに対するＡＣＫ／ＮＡＣＫ信号は、データが割り当てられた各ＶＲＢのうち最も小さいＶＲＢインデックスを選定し、それに対応するＡＣＫ／ＮＡＣＫインデックスを使用して送信することができる。
【００４２】
第２の実施例−ＣＣＥ利用
上述した仮想単位資源の一つとして制御チャネル要素（ＣＣＥ：Ｃｏｎｔｒｏｌ  Ｃｈａｎｎｅｌ  Ｅｌｅｍｅｎｔ）を挙げることができる。
【００４３】
送信時間区間単位であるサブフレーム内のｎ個のＯＦＤＭシンボルを使用して制御チャネル情報が送信されるとき、各ＣＣＥを物理的領域の資源要素にマッピングして送信する。ＣＣＥは、一つの端末の複数の制御情報を送信するためのエンティティであり、ＣＣＥを通して送信される制御情報の量は、任意の既に定義された符号化率と変調技法で定義される。任意の変調技法が定義された状態で任意の端末に対して任意の受信品質を目標とする符号化率を提供するために、該当する制御情報が一つ以上のＣＣＥを通して送信される。
【００４４】
基地局がダウンリンクを通してデータを送信したり、端末からデータを受信したりするとき、データ情報が割り当てられた資源の位置やデータ情報に対する付加的な情報を端末に知らせるために、各端末に送信される制御情報は、１個または複数個のＣＣＥを通して端末に送信される。それぞれのＣＣＥは、ダウンリンクの時間−周波数上の資源にマッピングされる。ＣＣＥは、各ダウンリンク／アップリンクのデータ送信のための制御情報の最小単位資源とみなすことができる。
【００４５】
この制御情報を用いて端末が基地局からデータを受けるとき、いずれのＶＲＢ資源を通してデータを受けるかを知ることができ、端末が基地局にデータを送信するときには、アップリンクのいずれのＶＲＢ資源を使用して送信が可能であるかを知ることができる。
【００４６】
ＣＣＥは、上述したＶＲＢの概念と類似した論理的資源であるので、連続したＣＣＥセットを通していずれか一つの制御情報を送信するとしても、実質的な物理的資源上では不連続的な資源を通して送信が可能である。このような論理的／物理的資源間の関係はシステム上で予め定めることができる。
【００４７】
ＣＣＥは、ダウンリンクデータのための制御情報とアップリンクデータのための制御情報に対してそれぞれ異なるように定義される。すなわち、ダウンリンクのための制御情報とアップリンクのための制御情報の大きさが異なるので、ＣＣＥは、ダウンリンク／アップリンクのそれぞれに対して独立的に定義される。
【００４８】
ダウンリンクを通してデータが送信される場合には、制御情報がＣＣＥまたはＣＣＥセットを通して送信され、データを受信する該当の端末に、データが送信されるＶＲＢまたはＶＲＢセットに対する情報と他の付加的な制御情報を知らせる。このような制御情報を受けた端末は、データを受信し、受信確認のためにアップリンクを通してＡＣＫまたはＮＡＣＫを基地局に送信するようになる。
【００４９】
アップリンクデータ送信の場合には、制御情報がＣＣＥまたはＣＣＥセットを通して送信され、端末が使用可能なアップリンクＶＲＢ情報を知らせる。このような制御情報をダウンリンクを通して受信した端末は、アップリンクＶＲＢ情報を使用してデータを送信する。このとき、データを受信した基地局は、ダウンリンクを通してデータを受信したか否かを端末に知らせるためにダウンリンクを通してＡＣＫまたはＮＡＣＫを送信する。
【００５０】
本実施例では、多重搬送波基盤のシステムでデータ受信側が受信したデータに対するＡＣＫ信号とＮＡＣＫ信号を送信するとき、ＡＣＫ／ＮＡＣＫが送信される正確な資源位置に対する情報を獲得または送信する方法の一例としてＣＣＥ情報を用いる方法を開示する。
【００５１】
図３は、本発明の他の実施例に係るＡＣＫ／ＮＡＣＫインデックス決定方法を説明するための図である。
【００５２】
以下、ＣＣＥの位置またはＣＣＥに割り当てられる資源番号をＣＣＥインデックスと称する。本実施例によれば、送信データに対する制御情報が一つ以上のＣＣＥに割り当てられて送信されると、ＣＣＥインデックスとＡＣＫ／ＮＡＣＫインデックスとの間に関係が与えられて、受信側は、送信データのＡＣＫ／ＮＡＣＫ信号の資源に関する情報を獲得することができる。
【００５３】
図３を参照すれば、ＣＣＥインデックスのそれぞれにＡＣＫ／ＮＡＣＫインデックスが割り当てられる例を確認することができる。ＣＣＥインデックスごとにＡＣＫ／ＮＡＣＫインデックスが割り当てられ、受信側は、制御情報の送受信のために割り当てられるＣＣＥのＣＣＥインデックスを用いてＡＣＫ／ＮＡＣＫインデックスを獲得することができる。ＡＣＫ／ＮＡＣＫインデックスを用いて、該当の制御情報に対応するデータに対するＡＣＫ／ＮＡＣＫ信号を送信するＡＣＫ／ＮＡＣＫ資源情報を知ることができる。
【００５４】
図３に示すように、一つの端末またはデータに対する制御情報が複数個のＣＣＥに割り当てられて送信される。一般的に、制御情報は多様な位置にある端末に送信され、１個以上のＣＣＥを含むＣＣＥセットに割り当てられた制御情報は、混在してダウンリンクを通して送信される。ところが、１個の制御情報が複数個のＣＣＥを含むＣＣＥセットを通して送信されるときには、制御情報が占有している複数個のＣＣＥインデックスのうち１個を選択し、それに対応するＡＣＫ／ＮＡＣＫインデックスを活用してＡＣＫ／ＮＡＣＫ信号が送信される。例えば、制御情報が占めているＣＣＥインデックスの最も小さいＣＣＥインデックスに対応するＡＣＫ／ＮＡＣＫインデックスを活用して、ＡＣＫ／ＮＡＣＫ信号を送受信することができる。
【００５５】
図３の実施例では、ダウンリンクデータの観点で見ると、ＡＣＫ／ＮＡＣＫインデックス１、４、５、８、９、１２を使用し、アップリンクデータの観点で見ると、ＡＣＫ／ＮＡＣＫインデックス３、１１を使用するので、基地局は、ＡＣＫ／ＮＡＣＫ資源の衝突なしにＡＣＫ／ＮＡＣＫ信号を送信することができる。
【００５６】
図４は、本発明の他の実施例に係るＡＣＫ／ＮＡＣＫインデックス決定方法を説明するための図である。
【００５７】
ダウンリンクとアップリンクに対するＡＣＫ／ＮＡＣＫ信号は独立的に送信されるので、ＣＣＥインデックスの個数だけＡＣＫ／ＮＡＣＫ資源を確保しておく必要はない。例えば、各ＣＣＥインデックスと１対１にＡＣＫ／ＮＡＣＫインデックスを対応させ、それに対応するＡＣＫ／ＮＡＣＫ資源を予め割り当てる場合、ほとんどの状況では割り当てられたＡＣＫ／ＮＡＣＫ資源が全部使用されずに浪費される。
【００５８】
したがって、それぞれのＣＣＥインデックスに対応するＡＣＫ／ＮＡＣＫインデックスを重複して使用すれば、より効率的にＡＣＫ／ＮＡＣＫ資源を運営することができる。すなわち、１個のＡＣＫ／ＮＡＣＫインデックスを複数のＣＣＥインデックスに重複して割り当てることができる。このとき、重複するＡＣＫ／ＮＡＣＫインデックス、すなわち、ＡＣＫ／ＮＡＣＫ資源が他の制御情報に対するＡＣＫ／ＮＡＣＫ資源として使用されないようにすることが望ましい。
【００５９】
図４に示すように、ＣＣＥインデックス（９、１０、１１、１２）にマッピングされるＡＣＫ／ＮＡＣＫインデックスは、ＣＣＥインデックス（１、２、３、４）にマッピングされたＡＣＫ／ＮＡＣＫインデックス（１、２、３、４）を重複して使用することができる。図４の実施例では、ダウンリンクデータの観点で見ると、ＡＣＫ／ＮＡＣＫインデックス１、４、５、８、２、３を使用し、アップリンクデータの観点で見ると、ＡＣＫ／ＮＡＣＫインデックス３、４を使用するので、ＡＣＫ／ＮＡＣＫインデックスを重複して割り当てるとしても、基地局は、ＡＣＫ／ＮＡＣＫ資源の衝突なしにＡＣＫ／ＮＡＣＫ信号を送信することができる。
【００６０】
以下、ＡＣＫ／ＮＡＣＫインデックス、すなわち、ＡＣＫ／ＮＡＣＫ資源の重複割り当て方法の一例をより具体的に説明する。
【００６１】
図５は、本発明の他の実施例に係るＡＣＫ／ＮＡＣＫインデックス決定方法を説明するための図である。
【００６２】
本実施例では、重複マッピングされるＡＣＫ／ＮＡＣＫインデックスとして、最大個数の仮想単位資源を含む仮想単位資源セットに含まれた複数の仮想単位資源情報にマッピングされたＡＣＫ／ＮＡＣＫインデックスを使用する。このとき、同一のＡＣＫ／ＮＡＣＫインデックスがマッピングされる仮想単位資源セットは、互いに異なるマッピング規則でマッピングされることが望ましい。
【００６３】
最も大きいＣＣＥセットに含まれる制御情報にマッピングされるＡＣＫ／ＮＡＣＫインデックスを、ＡＣＫ／ＮＡＣＫインデックスグループ（ＡＣＫ／ＮＡＣＫ  Ｉｎｄｅｘ  Ｇｒｏｕｐ:ＡＮＩＧ）と称することができる。ＡＣＫ／ＮＡＣＫインデックスを各ＣＣＥインデックスに重複して対応させるとき、ＡＮＩＧ単位で対応させることができる。このとき、重複するＡＮＩＧ内のＡＣＫ／ＮＡＣＫインデックスのＣＣＥマッピングは、互いに異なる組み合わせを使用することが望ましい。すなわち、ＡＣＫ／ＮＡＣＫインデックスをＣＣＥインデックスとマッピングするとき、最も大きいＣＣＥの単位で対応させ、一つのＡＮＩＧ内で互いに異なるＣＣＥインデックスとＡＣＫ／ＮＡＣＫインデックスとを対応順序を変えて対応させることができる。
【００６４】
このように、複数個のＣＣＥインデックスのセットにマッピングされるＡＣＫ／ＮＡＣＫインデックスを異なるＣＣＥに再びマッピングするが、このとき、ＡＣＫ／ＮＡＣＫインデックスがマッピングされる順序を変えてマッピングすると、複数個のＣＣＥを通して送信される制御情報が一つ以上送信されるとき、ＣＣＥインデックスを用いたＡＣＫ／ＮＡＣＫ資源割り当てをより効率的に行うことができる。
【００６５】
図５に示すように、最も大きいＣＣＥセットを４個のＣＣＥインデックス１、２、３、４を含むＣＣＥセットと仮定したとき、ＣＣＥインデックス（１、２、３、４）とＣＣＥインデックス（９、１０、１１、１２）に対応するＡＣＫ／ＮＡＣＫインデックスは（１、２、３、４）である。ただし、ＣＣＥインデックス（９、１０、１１、１２）に対応したＡＣＫ／ＮＡＣＫインデックスの順序は、１、２、３、４でなく、異なる組み合わせの２、１、４、３である。
【００６６】
ＣＣＥごとに全て異なるＡＣＫ／ＮＡＣＫインデックスを割り当てる場合、１２個のＡＣＫ／ＮＡＣＫ資源が必要であることに比べて、図５に示した方法でＡＣＫ／ＮＡＣＫインデックス（１、２、３、４）をＣＣＥインデックスに重複して割り当てることによって、８個のＡＣＫ／ＮＡＣＫ資源のみを用いて各リンクにＡＣＫ／ＮＡＣＫ信号を送信することができる。
【００６７】
また、アップリンク受信確認信号を受信する資源情報とダウンリンク受信確認信号を受信する資源情報とは、互いに独立的にマッピングすることができる。図５に示したものは、アップリンクまたはダウンリンクのいずれかに対するＡＣＫ／ＮＡＣＫインデックスを設定したものとみなすことができる。すなわち、図５のように、同一のＣＣＥにアップリンクＡＣＫ／ＮＡＣＫインデックスとダウンリンクＡＣＫ／ＮＡＣＫインデックスとを独立的に設定することも可能である。
【００６８】
また、実際に多重搬送波システムで送信可能なＣＣＥの個数が多いとしても、必ずＣＣＥの個数だけ制御情報を送信する必要はない。これは、システム上で一度に送信可能な制御情報を制限するとしても、システムの全般的なスループットが大いに低下しないためである。したがって、ＡＣＫ／ＮＡＣＫの資源も、多重搬送波システムで送信可能なＣＣＥの個数だけ割り当てず、一度に送信される制御情報の個数だけ割り当てることもできる。
【００６９】
第３の実施例−順序利用
以下、本発明の更に他の実施例として、ＡＣＫ／ＮＡＣＫ資源情報として一つのサブフレーム内における送信データまたは送信データに対する制御情報の仮想単位資源の順序情報を用いる方法を説明する。
【００７０】
この方法の一例は、一つのサブフレーム内のＶＲＢのうち該当する端末のデータが含まれるＶＲＢの順序とＡＣＫ／ＮＡＣＫインデックスとを対応させる方式である。したがって、端末は、制御情報またはデータが送信されるＶＲＢを通してデータが送信される複数のデータ（または制御情報）のうち順序で何番目にあるかを確認し、ＡＣＫ／ＮＡＣＫインデックスを獲得することができる。
【００７１】
また、他の例として、一つのサブフレーム内の複数のＣＣＥのうちの制御情報の順序とＡＣＫ／ＮＡＣＫインデックスとを対応させる方式を使用することもできる。すなわち、アップリンク／ダウンリンクのデータ送／受信のための制御情報が端末に送信されたとき、端末は、自体に送信された制御情報が、全体のアップリンク／ダウンリンク制御情報のうち順序で何番目にあるかを確認し、ＡＣＫ／ＮＡＣＫインデックスを獲得することができる。
【００７２】
このような実施例を効果的に行うためには、一つのサブフレーム内で基地局が送信可能な制御情報の数を基地局と端末とが共有し、制御情報は、ＣＣＥ資源を多く占める順に整列されたり、ＣＣＥ資源を少なく占める順に整列されたりしていることが望ましい。
【００７３】
図６は、本発明の更に他の実施例として、仮想単位資源の順序を用いてＡＣＫ／ＮＡＣＫインデックスを決定する方法を説明するための図である。
【００７４】
以下、本発明の本実施例において、ＡＣＫ／ＮＡＣＫ資源情報として一つのサブフレーム内における送信データまたは送信データに対する制御情報の仮想単位資源の順序情報を用いる方法を説明する。
【００７５】
この方法の一例は、一つのサブフレーム内のＶＲＢのうち該当する端末のデータが含まれるＶＲＢの順序とＡＣＫ／ＮＡＣＫインデックスとを対応させる方式である。したがって、端末は、制御情報またはデータが送信されるＶＲＢを通してデータが送信される複数のデータのうち順序で何番目にあるかを確認し、ＡＣＫ／ＮＡＣＫインデックスを獲得することができる。
【００７６】
また、他の例として、一つのサブフレーム内の複数のＣＣＥのうちの制御情報の順序とＡＣＫ／ＮＡＣＫインデックスとを対応させる方式を使用することもできる。すなわち、アップリンク／ダウンリンクのデータ送／受信のための制御情報が端末に送信されたとき、端末は、自体に送信された制御情報が、全体のアップリンク／ダウンリンク制御情報のうち順序で何番目にあるかを確認し、ＡＣＫ／ＮＡＣＫインデックスを獲得することができる。
【００７７】
このような実施例を効果的に行うためには、一つのサブフレーム内で基地局が送信可能な制御情報の数を基地局と端末とが共有し、制御情報は、ＣＣＥ資源を多く占める順に整列されたり、ＣＣＥ資源を少なく占める順に整列されたりしていることが望ましい。
【００７８】
図６を参照すれば、１２個のＣＣＥがダウンリンクで存在し、一つの時点で、４個のＣＣＥを占める制御情報が１個送信され、２個のＣＣＥを占める制御情報が３個送信され、１個のＣＣＥを占める制御情報が１個送信されたと仮定したときのＣＣＥの割り当ての様子とＡＣＫ／ＮＡＣＫインデックスとの対応関係の一例を確認することができる。このとき、各制御情報は、ＣＣＥ資源を多く占める順に整列されている。
【００７９】
図６の実施例で、端末１が受ける制御情報は、ＣＣＥインデックス９番および１０番に対応するＣＣＥ２個の大きさを有する制御情報である。端末１は、制御情報の大きさが大きい順にＣＣＥ上に制御情報が送信されたことを知っており、４個の大きさを有する制御情報が１個あり、２個の大きさを有する制御情報が３個あるという事実を知っている。したがって、自体が受信した制御情報が、全体に送信された５個の制御情報のうち４番目の制御情報であることを知ることができる。その結果、端末１が受けた制御情報が制御するデータに対するＡＣＫ／ＮＡＣＫ信号送信は、ＡＣＫ／ＮＡＣＫインデックス４に該当するＡＣＫ／ＮＡＣＫ資源を使用することを確認することができる。
【００８０】
第４の実施例−直接送信
以下、本発明の更に他の実施例として、ＡＣＫ／ＮＡＣＫ資源情報が送信データまたは送信データに対する制御情報に含まれて送信される方法を説明する。
【００８１】
この方法は、基地局がデータ送受信に対する制御情報を端末に送信するとき、データまたは制御情報内に、該当のデータが使用するＡＣＫ／ＮＡＣＫインデックスを知らせる情報を含ませる方法である。例えば、制御情報内にＮANビットを追加し、該当のデータ情報に対してＡＣＫ／ＮＡＣＫインデックスを知らせることができる。この方法を用いると、基地局は、全てのデータが使用するＡＣＫ／ＮＡＣＫ資源を直接的に制御することができる。したがって、基地局は、状況によってＡＣＫ／ＮＡＣＫ送信に使用する資源の量を柔軟に変化させることができる。
【００８２】
図７は、ＭＩＭＯ技法を使用したときの資源を説明するための図である。
【００８３】
ＭＩＭＯ技法を適用すると、同一の周波数、時間の資源上における空間領域のダイバーシティを用いてデータを送信することができる。すなわち、同一の時間−周波数資源を互いに異なるデータが共有する。一般的に、ＭＩＭＯ技法を使用するシステムでは、プリコーディングという空間多重化技法を使用する。
【００８４】
ＭＩＭＯシステムでデータが送信されるときには、データ情報ブロックは復号化されたコードワードに変換される。したがって、１個のコードワードは１個のデータ情報ブロックとみなすことができる。このようなコードワードは仮想のアンテナレイヤに対応し、プリコーディングを通して、このようなアンテナレイヤは実際の送信アンテナポートに対応する。
【００８５】
図８は、ＭＩＭＯ方式が適用される多重搬送波システムで各コードワードがＭＩＭＯシステムの送信アンテナに伝達される一般的な過程を示す図である。
【００８６】
図８のように、一般的に、ＭＩＭＯ多重搬送波システムにおいて、コードワード−レイヤマッピングモジュール８１を通して、それぞれのコードワード８０は特定のレイヤ８２に対応する。コードワードの個数ＮCとレイヤの個数ＮLは同一でないことがある。コードワードをレイヤに対応させる方法は、プリコーディングでいずれのプリコーディング行列を使用するかによって異なる。このとき、レイヤの個数をランクと称することができる。
【００８７】
ランクは、全周波数帯域で同一ではないが、一般的に、ダウンリンクでは、一つの特定の端末に送信されるデータの全ての周波数領域は同じランク値を有し、アップリンクでは、端末が送信するデータの全ての周波数領域で使用するランク値も同一である。ダウンリンクでは、基地局が複数個の端末のためのデータを送信するので、全周波数帯域で使用されるランク値の変化が激しくなりうる。
【００８８】
プリコーディングを行うためのプリコーディングモジュール８３は、ＮTｘＮLのプリコーディング行列で表すことができ、このプリコーディング行列は、ＮLの長さを有するＮT個の列ベクトルで表現される。結局、それぞれのコードワードが使用する１個または複数のプリコーディング列ベクトルによって、各コードワードがいずれのレイヤにマッピングされるかを決定することができる。
【００８９】
図９は、ＭＩＭＯ技法が適用される多重搬送波システムでコードワードに対応するデータが各送信アンテナポートに連結される一例を示す。そして、図１０は、ＭＩＭＯ技法が適用される多重搬送波システムでコードワードに対応するデータが各送信アンテナポートに連結される他の例を示す。
【００９０】
上述したＭＩＭＯ技法が多重搬送波システムで適用されると、周波数及び時間資源におけるＭＩＭＯ技法によるランクに比例して空間資源を効果的に増加させることができる。そのため、これに比例して、送信されるデータの量も増加するという長所があるが、それに対応するＡＣＫ／ＮＡＣＫ資源も増加する。すなわち、データをＭＩＭＯ技法で送信して増加したデータ量によって増加したＡＣＫ／ＮＡＣＫ信号を、反対方向のリンクを通して送信しなければならない。しかし、ＡＣＫ／ＮＡＣＫ信号は必ずしもＭＩＭＯ技術を使用して送信されないので、必要なＡＣＫ／ＮＡＣＫ資源が多くなると多重搬送波システムの効率が低下する可能性がある。
【００９１】
上述したＭＩＭＯを使用するシステムでは、ＶＲＢまたはＣＣＥを通してマッピング可能なＡＣＫ／ＮＡＣＫインデックスの数が、送信可能なデータの数に比べて制限されうる。例えば、本発明の第１の実施例で開示した方法を使用してＶＲＢインデックスとＡＣＫ／ＮＡＣＫインデックスとをマッピングすると仮定する。ＭＩＭＯシステムで同一の時間−周波数を使用するとしても、空間資源を分けて使用すると、送信可能なコードワードの個数は２個以上である。ところが、ＶＲＢインデックスとＡＣＫ／ＮＡＣＫインデックスとをマッピングさせたので、表現可能なＡＣＫ／ＮＡＣＫインデックスの数は送信可能なデータの数より小さくなる。これは、ＣＣＥインデックスとＡＣＫ／ＮＡＣＫインデックスとをマッピングさせる方法を使用したときにも生じる現象である。
【００９２】
また、上述したように、ＭＩＭＯ技法を使用するシステムでは、複数のコードワードが送信される。このとき、無線チャネル環境によって同一の時間−周波数資源に送信されるコードワードの個数を変更することができる。したがって、複数のコードワードを送信するときと１個のコードワードを送信するときのＡＣＫ／ＮＡＣＫ資源の関連性が不明になりうる。
【００９３】
以下の各実施例では、ＭＩＭＯ技法を使用するシステムでＡＣＫ／ＮＡＣＫ信号が送受信されるＡＣＫ／ＮＡＣＫ資源の固有番号であるＡＣＫ／ＮＡＣＫインデックスを端末が得られる方法を提示する。もちろん、本実施例に係る方法は、ＭＩＭＯシステムに限定されて使用されるわけではない。
【００９４】
第５の実施例−オフセット（ｏｆｆｓｅｔ）利用
本実施例によれば、送信データに割り当てられる仮想単位資源または前記送信データに対する制御情報に割り当てられる仮想単位資源に対する情報と追加情報との組み合わせに、送信データのＡＣＫ／ＮＡＣＫインデックスをマッピングすることができる。例えば、多重搬送波通信システムでＭＩＭＯ技法を適用する場合、可能なＡＣＫ／ＮＡＣＫインデックスの数は送信可能なデータの数より小さいが、追加情報を組み合わせることによってＶＲＢまたはＣＣＥを通してマッピング可能な制限されたＡＣＫ／ＮＡＣＫインデックスの数を拡張することができる。
【００９５】
本実施例に係るＡＣＫ／ＮＡＣＫインデックスを決定する方法は、次の通りである。ＭＩＭＯが考慮されない上述した各実施例では、ＡＣＫ／ＮＡＣＫインデックスを仮想単位資源に対する情報、例えば、ＶＲＢインデックスまたはＣＣＥインデックスにマッピングし、ＡＣＫ／ＮＡＣＫインデックス情報を伝達した。以下の本実施例では、追加情報としてオフセットインデックスを用いる方法を開示する。すなわち、ＡＣＫ／ＮＡＣＫインデックスは、ＶＲＢインデックスまたはＣＣＥインデックスとオフセットインデックスとの組み合わせで求めることができる。
【００９６】
この場合、オフセットインデックスの情報は、基地局で複数個のコードワードが送信されるときに端末に知らせることもでき、追加の情報送信なしに基地局と端末とが共有する情報を用いることもでき、データ送受信前に、基地局と端末との間、すなわち、システム上で予め定めることもできる。また、オフセットインデックス値としては、負の値（−）も可能である。
【００９７】
下記の数式１及び数式２は、ＶＲＢインデックス及びＣＣＥインデックスのそれぞれとオフセットインデックスとの組み合わせによってＡＣＫ／ＮＡＣＫインデックスを決定する方法の一例を示す。
【００９８】
［数式１］
ＩACK/NACK  ＝  Ｉoffset  ＋  ＩVRB、  ＩVRB＝０，１，２，…，ＮVRB−１
【００９９】
［数式２］
ＩACK/NACK  ＝  Ｉoffset  ＋  ＩCCE、  ＩCCE＝０，１，２，…，ＮCCE−１
【０１００】
数式１において、ＩVRBはＶＲＢインデックスを表し、数式２において、ＩCCEはＣＣＥインデックスを表す。ＩVRB及びＩCCEは、０からそれぞれＮVRB−１及びＮCCE−１までの整数値をとりうる。このとき、ＮVRBはＩVRBの全個数を表し、ＮCCEはＩCCEの全個数を表す。特に、一つのデータまたは制御情報に多数のＶＲＢまたはＣＣＥが割り当てられる場合、最も小さいＶＲＢインデックスまたはＣＣＥインデックスになると仮定する。そして、数式１及び数式２において、Ｉoffsetはオフセットインデックスを表し、ＩACK/NACKはＡＣＫ／ＮＡＣＫインデックスを表す。
【０１０１】
送受信側は、基地局からオフセットインデックスがＩoffsetであるという情報を受信するか、もしくはこの情報を予め設定された約束によって知っていると仮定する。そうすると、ＩACK/NACKは、数式１に示すように、ＩVRBとＩoffsetの和に決定することができる。また、ＩACK/NACKは、数式２に示すように、ＩCCEとＩoffsetの和に決定することができる。図１１及び図１２は、本発明の更に他の実施例によってオフセットインデックスを追加的に用いる方法を説明するための図である。
【０１０２】
図１１及び図１２は、それぞれダウンリンク及びアップリンク送信と関連したものである点で異なるだけで、本実施例を適用するにおいては同一であるので一緒に説明する。図１１及び図１２において、横軸は資源ブロック（ＲＢ：Ｒｅｓｏｕｒｃｅ  Ｂｌｏｃｋ）インデックスを表し、縦軸はコードワードインデックスを表す。
【０１０３】
このとき、図１１及び図１２において、Ｒ値は、ＩVRBまたはＩCCEであり、本実施例では、ＶＲＢインデックスと１対１の関係を有している。また、図１１及び図１２において、Ｏ値はＩoffsetであり、ＩACK/NACKは、上述した数式１または数式２によると、ＲとＯの和で表すことができる。
【０１０４】
端末１（ＵＥ１）の場合、オフセットインデックスＩoffsetは０であり、ＩVRBまたはＩCCEは０であるので、ＩACK/NACKも０であることを確認することができる。そして、端末２の場合、Ｉoffsetは０であり、ＩVRBまたはＩCCEは１であるので、ＩACK/NACKは１であることを確認することができる。そして、端末３の場合、Ｉoffsetは１であり、ＩVRBまたはＩCCEは１であるので、ＩACK/NACKは２であることを確認することができる。
【０１０５】
残りの端末４〜１１に対してもＩoffsetとＩVRBまたはＩCCEを知ることができるので、これを用いてＩACK/NACKを類推することができる。
【０１０６】
このような方法で、基地局がＡＣＫ／ＮＡＣＫインデックスを割り当てることによってＡＣＫ／ＮＡＣＫ信号を送受信するときには、各端末から送信されるデータに重複するＡＣＫ／ＮＡＣＫインデックスが割り当てられないことが望ましい。
【０１０７】
また、この場合、送信データに割り当てられる仮想単位資源の数は、前記通信システムに適用されるＭＩＭＯ通信方式によるランク値より大きいかそれと同じであることが望ましい。なぜなら、送信データに割り当てられるＶＲＢまたはＣＣＥの数だけ、同時に送信される各データに割り当てられるＡＣＫ／ＮＡＣＫ資源またはインデックスを容易に拡張できるためである。
【０１０８】
例えば、送信データに割り当てられるＶＲＢまたはＣＣＥの数が４である場合、ＡＣＫ／ＮＡＣＫインデックスは、４個のうち一つのみを使用しても充分であるので、残りの３個を同一の時間に送信される各データに対して使用することができる。すなわち、ＶＲＢまたはＣＣＥの数が４である場合、４個のデータまでは同時に送信されるとしても、ＡＣＫ／ＮＡＣＫインデックスが重ならずに容易に決定される。
【０１０９】
図１３は、本発明の更に他の実施例が望ましくない形で適用される場合を説明するための図である。
【０１１０】
上述したように、基地局がスケジューリングするとき、同一のフレーム内で同一のリンク上（ダウンリンクまたはアップリンク）で重複するＡＣＫ／ＮＡＣＫインデックスが割り当てられないように、データに対するＩoffsetを送ることが望ましい。
【０１１１】
図１３に示すように、Ｉoffsetを決定し、これによってＡＣＫ／ＮＡＣＫインデックスが決定される場合、同一のＡＣＫ／ＮＡＣＫインデックスが互いに異なる端末に割り当てられ、ＡＣＫ／ＮＡＣＫ送信に衝突が発生しうる。
【０１１２】
図１３において、端末３の場合、Ｉoffsetは０であり、ＩVRBまたはＩCCEは５であるので、ＩACK/NACKは５であることを確認することができる。そして、端末７の場合、Ｉoffsetは１であり、ＩVRBまたはＩCCEは４であるので、ＩACK/NACKは５であることを確認することができる。すなわち、端末３と端末７が確認するＡＣＫ／ＮＡＣＫインデックスは互いに同一であるので、同一のＡＣＫ／ＮＡＣＫ資源を通してＡＣＫ／ＮＡＣＫ信号を送信する。したがって、端末３と端末７のＡＣＫ／ＮＡＣＫ信号は互いに衝突するようになる。
【０１１３】
この方法で、より詳細にはオフセットインデックスを直接的に知らせずに、端末にオフセットインデックス情報を伝達することができる。すなわち、端末からデータを送信するときに使用する制御情報、チャネル情報、システム情報、端末情報などとオフセットインデックス値との間の対応関係を設定し、これらからオフセットインデックス値を類推するようにし、端末にオフセットインデックス情報を伝達することができる。以下、追加情報としてオフセットインデックスを用いる実施形態において、オフセットインデックス値を類推できるようにオフセットインデックス値を決定する方法を説明する。
【０１１４】
まず、オフセットインデックスを決定する方法の一実施例として、オフセットインデックスはパイロット信号に対応する値に決定することができる。ここで、パイロット信号とは、変調されないスペクトル拡散信号であり、端末が同期化または基地局情報を容易に獲得するように助ける信号を意味する。これは、適用される通信システムによって参照信号（ＲＳ：ｒｅｆｅｒｅｎｃｅ  ｓｉｇｎａｌ）であることがある。
【０１１５】
この場合、アップリンクでデータを送信するとき、Ｉoffsetを直接的に知らせずに、端末にＩoffset情報を提供することができる。すなわち、Ｉoffset値と端末からデータを送信するときに使用するパイロット信号との対応関係を設定し、基地局が端末からアップリンクを通してデータを送信するときに使用するパイロット信号を端末に知らせることによって、同時にパイロット信号に対応するＩoffsetを獲得できるようにする。
【０１１６】
多重搬送波通信システムにおいて、パイロット信号は、一つ以上のパイロット信号を含んでなるパイロット信号セットで構成され、このようなパイロット信号セット内の各パイロット信号から選択的に使用される。このようなパイロット信号セットの情報は、別々に送信されることもある。しかし、送受信側の間のパイロット信号セット、これに含まれる各パイロット信号、これらから選択されるパイロット信号または選択時に適用されるホッピング（ｈｏｐｐｉｎｇ）規則などは、システム上で予め定めて用いることもできる。すなわち、受信側でパイロット信号を受信するとき、このパイロット信号を用いてパイロット信号セット及びホッピング規則などを知ることもできる。
【０１１７】
例えば、上述したパイロット信号は一つのシークエンスとして構成され、このとき、データと一緒に送信されるパイロット信号は、一つのデータ当たり２回使用されると仮定する。時間ｔ＝０でパイロット信号セット内のパイロット信号シークエンス１番を使用し、時間ｔ＝１ではパイロット信号シークエンス２番を使用するホッピング規則が適用される場合、次のデータ送信に対するｔ＝３では再びパイロット信号シークエンス１番を使用することができる。以下では、パイロット信号セットとは別途に、このように一つの端末またはデータに適用されるホッピング規則によってホッピング範囲に含まれる各パイロット信号をパイロット信号サブセットと称する。すなわち、パイロット信号セット内には複数のパイロット信号サブセットが含まれる。
【０１１８】
ここで、オフセットインデックス値は、このパイロット信号として使用可能な全てのシークエンスごとに対応関係を与えて決定することもできる。すなわち、各パイロット信号に与えられるインデックスをＩRSとすると、オフセットインデックスは、ＩRSを用いてＩoffset＝ＩRSのように決定することができる。
【０１１９】
また、オフセットインデックス値は、上述したように、データを送信するときに使用するパイロット信号が一つ以上であり、このような一つ以上のパイロット信号がパイロット信号セット内で可変的である場合、上述したパイロット信号セット情報またはパイロット信号サブセット情報を用いて決定することができる。詳細には、複数のパイロット信号サブセットに全て同一のオフセットインデックス値が与えられることもある。例えば、端末機がデータ送信のために使用するパイロット信号サブセットに与えられるインデックスをＩRSとすると、オフセットインデックスは、ＩRSを用いてＩoffset＝ＩRSのように決定することができる。
【０１２０】
他の方法でオフセットインデックスを決定するために、ＩRS以外の割り当てられた資源ブロック情報を用いることもできる。
【０１２１】
［数式３］
Ｉoffset  ＝  ＩRS  ｍｏｄ  ＮARB
【０１２２】
数式３において、Ｉoffsetはオフセットインデックスを表し、ＩRSはパイロット信号またはパイロット信号サブセットインデックスを表し、ＮARBは、端末がデータ送受信のために基地局から割り当てを受けた資源ブロックまたは単位資源の数を表す。すなわち、数式３によると、端末がデータ送信のために割り当てを受けた資源ブロックの個数でパイロット信号サブセットインデックスをモジュロ（Ｍｏｄｕｌｏ）演算した結果値をオフセットインデックス値として決定する。そして、このように決定されるオフセットインデックス値を用いて、例えば、数式１または数式２に適用して最終的なＡＣＫ／ＮＡＣＫインデックスを決定／類推することができる。
【０１２３】
複数個の端末がＭＵ−ＭＩＭＯ方式を適用することによって空間的な多重化を行うためには、各端末が互いに異なるパイロット信号を使用することが望ましい。このように互いに異なるパイロット信号を端末が使用しようとする場合、基地局がこのようなパイロット信号情報を知らせる。一例として、上述したように、端末は、データの割り当てとともに送信される、データが送信される資源ブロック数情報ＮARBとパイロット信号サブセット情報ＩRSを用いて得られる使用するパイロット信号情報を用いてＩoffset及びＡＣＫ／ＮＡＣＫインデックス情報を獲得することができる。
【０１２４】
また、互いに異なるパイロット信号は、互いに異なるシークエンスとして構成される。例えば、パイロット信号シークエンスがＣＡＺＡＣシークエンスの基礎シークエンスとその基礎シークエンスの循環シフトとの組み合わせで生成される場合、オフセットインデックスＩoffset値は、循環シフト値または循環シフトの時間による変化パターンを考慮して決定することができる。
【０１２５】
図１４は、本発明の更に他の実施例によってオフセットインデックスを追加的に用いる方法を説明するための図である。
【０１２６】
図１４では、一実施例として、横軸にＶＲＢが全１２個存在することを表し、縦軸に端末が使用可能なパイロット信号サブセットが全７個存在することを表す。ここで、端末の各データに複数のパイロット信号が使用され、このようなパイロット信号はパイロット信号サブセットで構成され、各パイロット信号サブセットにはインデックスが割り当てられると仮定する。
【０１２７】
このとき、端末３は、ＶＲＢインデックス６から９までの全４個の単位資源、すなわち、４個の資源ブロックの割り当てを受け、これと同様に、端末４、端末２及び端末５が端末３番と同一のＶＲＢ資源の割り当てを受ける。すなわち、ＩVRBは６になり、ＮARBは４になる。そして、それぞれの端末は、互いに異なるパイロット信号サブセットの割り当てを受ける。各端末は、ＶＲＢインデックスとパイロット信号サブセットインデックスを用いてＡＣＫ／ＮＡＣＫインデックスを決定することができる。
【０１２８】
例えば、数式１及び数式３を用いてＡＣＫ／ＮＡＣＫインデックスを決定する場合を説明する。端末３の場合、数式３を用いて決定されるオフセットインデックスの値は０（＝０％４）になるので、数式１を用いて決定されるＡＣＫ／ＮＡＣＫインデックスは６になる。そして、同一の方法で、端末４の場合、オフセットインデックスの値は２になるので、ＡＣＫ／ＮＡＣＫインデックスは８になり、端末２の場合、オフセットインデックスの値は１になるので、ＡＣＫ／ＮＡＣＫインデックスは７になり、端末５の場合、オフセットインデックスの値は２になるので、ＡＣＫ／ＮＡＣＫインデックスは８になる。
【０１２９】
このとき、ＡＣＫ／ＮＡＣＫ資源の衝突をなくすためには、Ｎ個の端末を空間的に多重化するために少なくともＮ個のＶＲＢ資源を割り当てることが望ましい。また、本実施例の場合、パイロット信号サブセットのインデックスを端末データに割り当てられる資源ブロック数でモジュロ演算した値でオフセット値を決定するので、基地局は、モジュロ演算結果であるオフセットインデックス値が他の使用者のものと同一にならないようにスケジューリングすることが望ましい。
【０１３０】
図１４に示す実施例において、端末３、端末４、端末２に対してはそれぞれＡＣＫ／ＮＡＣＫインデックス６、８、７を使用し、ＡＣＫ／ＮＡＣＫ資源の衝突なしにシステムが運営される。しかし、端末４と端末５が互いに異なるパイロット信号サブセットを使用しているにもかかわらず、モジュロ演算結果であるオフセット値が同一であり、結局、同一のＡＣＫ／ＮＡＣＫインデックスに決定されるので、このようにスケジューリングされると、端末３と端末５のＡＣＫ／ＮＡＣＫ資源に対して衝突が予想される。
【０１３１】
本発明の更に他の実施例として、複数のパイロット信号またはパイロット信号サブセットを一つ以上のグループで構成し、パイロット信号グループ情報を用いる。例えば、パイロット信号セット内のパイロット信号またはパイロット信号サブセットをＮRSG個のグループに分けて、分けられた各グループにインデックスを割り当てて、オフセットインデックスまたはＡＣＫ／ＮＡＣＫインデックスを決定するのに用いることができる。パイロット信号グループは１個以上になりうるし、このパイロット信号グループ情報は基地局によって端末に送信されることもある。
【０１３２】
下記の数式４及び数式５は、パイロット信号グループ情報を用いてオフセットインデックスを決定する例をそれぞれ表す。
【０１３３】
［数式４］
Ｉoffset  ＝  ＩRS  ｍｏｄ  ＮARB  ＋  ＩRSG
【０１３４】
［数式５］
Ｉoffset  ＝  ＩRS  ｍｏｄ  ＮARB  ＋  Ｇ（ＩRS）
【０１３５】
数式４及び数式５において、Ｉoffset、ＩRSおよびＮARBが、それぞれ、オフセットインデックス、パイロット信号またはパイロット信号サブセットインデックス、ならびに、端末がデータ送受信のために基地局から割り当てを受けた資源ブロックまたは単位資源の数をそれぞれ表すことは、数式３の場合と同一である。そして、ＩRSGは、上述したパイロット信号グループに対するインデックスを表す。
【０１３６】
また、数式５において、関数Ｇ（）は、パイロット信号グループインデックスを決定する関数である。例えば、パイロット信号グループインデックス情報は、パイロット信号またはパイロット信号サブセットインデックスから類推することができ、このとき、関数Ｇ（）は、パイロット信号またはパイロット信号サブセットインデックスからパイロット信号グループインデックスを類推する関数を表したものである。
【０１３７】
具体的な実施例として、パイロット信号セット内に全８個のパイロット信号サブセットがあり、４個のパイロット信号サブセットが含まれるように各パイロット信号グループが構成されると仮定する。すなわち、この場合、全２個のパイロット信号グループが構成される。ＡＣＫ／ＮＡＣＫ資源の個数がＶＲＢの個数の２倍であるとき、一つのパイロット信号グループのインデックスＩRSGは０になり、他のパイロット信号グループのインデックスはＶＲＢの全個数になるように決定することができる。このようにすることによって、システム上でＡＣＫ／ＮＡＣＫ資源の個数をＶＲＢの個数より大きく割り当てることができる。
【０１３８】
図１５は、本発明の更に他の実施例によってオフセットインデックスを追加的に用いる方法を説明するための図である。
【０１３９】
図１５においては、一実施例として、上述した図１４のように、横軸にＶＲＢが全１２個存在することを表し、縦軸に端末が使用可能なパイロット信号サブセットが全７個存在することを表す。ここで、端末の各データに複数のパイロット信号が使用され、このようなパイロット信号はパイロット信号サブセットで構成され、各パイロット信号サブセットにはインデックスが割り当てられると仮定する。
【０１４０】
そして、図１５の場合、全７個のパイロット信号サブセットが２個のパイロット信号グループで構成され、パイロット信号グループ１にはパイロット信号サブセットインデックス０から３までのパイロット信号サブセットが含まれ、パイロット信号グループ２にはパイロット信号サブセットインデックス４から６までのパイロット信号サブセットが含まれると仮定する。この場合、パイロット信号グループ１とパイロット信号グループ２には、それぞれ０とＶＲＢの全個数である１２のインデックスが割り当てられる。すなわち、図１５を参照すれば、端末３、２、４は、パイロット信号グループ１のパイロット信号グループインデックス０に決定され、端末５は、パイロット信号グループ２のパイロット信号グループインデックス１２に決定される。
【０１４１】
このとき、端末３は、ＶＲＢインデックス６から８までの全３個の単位資源、すなわち、３個の資源ブロックの割り当てを受け、これと同様に、端末４、端末２及び端末５が端末３と同一のＶＲＢ資源の割り当てを受ける。すなわち、ＩVRBは６になり、ＮARBは３になる。そして、各端末は、互いに異なるパイロット信号サブセットの割り当てを受ける。各端末は、ＶＲＢインデックス、パイロット信号サブセットインデックス及び上述したパイロット信号グループインデックスを通してＡＣＫ／ＮＡＣＫインデックスを決定することができる。
【０１４２】
例えば、数式１及び数式４を用いてＡＣＫ／ＮＡＣＫインデックスを決定する場合を説明する。端末３の場合、数式４を用いて決定されるオフセットインデックスの値は０（＝０％４＋０）になるので、数式１を通して決定されるＡＣＫ／ＮＡＣＫインデックスは６になる。そして、これと同一の方法で、端末２の場合、オフセットインデックスの値は１になるので、ＡＣＫ／ＮＡＣＫインデックスは７になり、端末４の場合、オフセットインデックスの値は２になるので、ＡＣＫ／ＮＡＣＫインデックスは８になり、端末５の場合、オフセットインデックスの値は１２（＝６％３＋１２）になるので、ＡＣＫ／ＮＡＣＫインデックスは１８になる。アップリンクで一つの端末から送信される複数のコードワードあるいは複数の端末から送信される複数のコードワードが同一の時間周波数領域で多重化されて基地局で受信されるように、複数の端末あるいは複数のアンテナに対するチャネル情報を得るべきである。パイロット信号は、各端末またはアンテナに対するチャネル情報を知らせるために使用される。パイロット信号は、互いに直交するか、あるいは互いに良好な相互相関特性を有することが望ましい。したがって、ＭＩＭＯ技法を使用して端末がデータをアップリンクで送信するときには、端末が使用するパイロット信号を予め基地局に知らせる。
【０１４３】
したがって、本実施例では、データが送信される周波数領域で種々の端末が使用する各パイロット信号とＡＣＫ／ＮＡＣＫインデックスを決定するのに影響を与えるオフセットインデックスとの間に関係を与えて用いる方法を提案する。上述したように、パイロット信号値は、端末またはアンテナ別に異なる値になるので、オフセットインデックス値に用いると効果的である。例えば、各端末またはアンテナに割り当てられるパイロット信号に番号を与える場合、その値をＩoffsetに決定することができる。
【０１４４】
オフセットインデックスを決定する方法の他の実施例として、オフセットインデックスは、同一の時間−周波数資源を使用して複数のアンテナを通して送信されるデータに対応するコードワードに関する情報に対応する値に決定することができる。
【０１４５】
ＳＵ−ＭＩＭＯ方式でデータを送信するときには、データ送信のために使用されたプリコーディング行列を知らせる。したがって、端末では、使用されたプリコーディング行列情報を通して各データコードワードに対するコードワードインデックスを類推することができ、コードワードインデックスをオフセットインデックスとして使用可能である。この場合、基地局が別にＩoffset値を端末に送信しなくても、コードワードインデックスからＩoffset値を知ることができる。
【０１４６】
また、ダウンリンクのＭＵ−ＭＩＭＯでは、端末は、少なくともデータ送信のために使用されたプリコーディング行列の列ベクトルを知ることができる。すなわち、基地局と端末との間で使用するプリコーディング行列が予め定められている場合、このプリコーディング行列の列ベクトルがプリコーディング行列の何番目の列ベクトルであるかを知ることができる。したがって、各データのコードワードに対するコードワードインデックスを類推することができ、コードワードインデックスをオフセットインデックスとして使用可能である。この場合も、ＳＵ−ＭＩＭＯ方式の場合と同様に、基地局が別にＩoffset値を端末に送信しなくても、コードワードインデックスからＩoffset値を知ることができる。
【０１４７】
ＭＩＭＯ技法を使用してデータを送信するシステムでコードワードインデックスを使用してＡＣＫ／ＮＡＣＫインデックスを決定する場合、本実施例では、基地局が端末にデータを割り当てるときの制御情報としてコードワードの順序に対応する信号を送信し、各データのコードワードインデックスを獲得することができる。
【０１４８】
ＭＩＭＯ方式で使用されたプリコーディング行列を基地局と端末が互いに知っており、コードワードとレイヤとの間の対応関係が予め固定的に設定されている場合、複数のデータにそれぞれ対応しているコードワードの順序をコードワード列ベクトルの順序と同一に定めることができる。すなわち、コードワードインデックスは、ＭＩＭＯ技法においてコードワードがプリコーディングされ、実際に物理的送信アンテナに送信される場合、コードワードがレイヤにマッピングされる前の各データシンボルの列ベクトルの順序の番号を表すことができる。
【０１４９】
端末が基地局で使用されたプリコーディング行列を知っておらず、プリコーディング行列の一部分であるプリコーディング列ベクトルのみを知っている場合、基地局が、追加的にプリコーディング列ベクトルがプリコーディング行列の何番目の列ベクトルであるかを知らせたり、該当するデータのコードワードインデックス自体を知らせたりすることによって、端末は、該当するデータに対するＡＣＫ／ＮＡＣＫ信号を送信することができる。
【０１５０】
また、データに適用されたプリコーディング列ベクトルがプリコーディング行列の何番目のプリコーディング列ベクトルであるかを知ることができれば、該当のデータが何番目のレイヤに該当するかを知ることができる。そうすると、予め定められたコードワードとレイヤとの関係によって何番目のコードワードに該当するデータであるかを知ることができ、これからコードワードインデックスを得ることができる。
【０１５１】
以下、本発明の更に他の実施例によってＶＲＢインデックスとコードワードインデックスとの組み合わせを使用してＡＣＫ／ＮＡＣＫインデックスを決定する方法を説明する。
【０１５２】
多重搬送波ＭＩＭＯシステムで、コードワードとレイヤとの間の関係が固定されていると仮定する。数式６は、このような仮定下で適用可能なＡＣＫ／ＮＡＣＫインデックス決定方法の一例を表す。
【０１５３】
［数式６］
ＩACK/NACK  ＝  α・ＩCodeword  ＋  β・ＩVRB
【０１５４】
数式６において、ＩACK/NACKは、それぞれの使用可能なＡＣＫ／ＮＡＣＫ信号が送受信される物理的資源の固有番号であるＡＣＫ／ＮＡＣＫインデックスを表し、ＩCodewordは、データが送信されるコードワードの番号を割り当てたときの各コードワードの番号であるコードワードインデックスを表し、ＩVRBは、データが送信可能な全てのＶＲＢに番号を割り当てたものをＶＲＢインデックスと仮定したとき、実際に一つのコードワードに該当するデータが送信されるＶＲＢのセットのうち特定の規則によって選定されたＶＲＢインデックスに対応する番号を表す。例えば、一つのコードワードに対応するデータを送信可能な各ＶＲＢに対応するＶＲＢインデックスのうち、データが占めている複数個のＶＲＢのうち最も小さいＶＲＢインデックスをＩVRBとしてもよい。また、αとβは任意の常数である。
【０１５５】
本実施例において、より詳細には、ＡＣＫ／ＮＡＣＫ送信のためにＶＲＢインデックスのＮCodeword倍の個数の資源が割り当てられ、同一の時間周波数領域にコードワードを最大ＮCodeword個まで送信することができる。そして、ＶＲＢインデックスＩVRBの個数がＮVRBであるとしたとき、ＡＣＫ／ＮＡＣＫインデックスは、以下の数式７または数式８で決定することができる。
【０１５６】
［数式７］
ＩACK/NACK  ＝  ＮVRB・ＩCodeword  ＋  ＩVRB、
ＩCodeword＝０，１，２，…，ＮCodeword−１、  ＩVRB＝０，１，２，…，ＮVRB−１
【０１５７】
［数式８］
ＩACK/NACK  ＝  ＩCodeword  ＋  ＮCodeword・ＩVRB、
ＩCodeword＝０，１，２，…，ＮCodeword−１、  ＩVRB＝０，１，２，…，ＮVRB−１
【０１５８】
上述した数式６〜数式８において、ＩVRBは、必ずしもＶＲＢインデックスと１対１の対応関係を有する必要はない。
【０１５９】
また、ＭＩＭＯを使用して送信される一つのコードワードに対するデータを少なくともＭ個のＶＲＢを含むセットの単位で送信する場合、ＩVRBは、Ｍ個のＶＲＢのセットと１対１で対応することができる。すなわち、最大２個のコードワードを送信可能なＭＩＭＯシステムで２個のＶＲＢを含むセットを基本単位にしてデータを割り当てると、２個のＶＲＢのセットごとに１個の番号ＩVRBを割り当てて、各コードワードを示す番号であるＩCodewordを使用して各コードワードに対するデータに利用するＡＣＫ／ＮＡＣＫ資源に対するＡＣＫ／ＮＡＣＫインデックスを決定することができる。
【０１６０】
以下、本発明の更に他の実施例によってＣＣＥインデックスとコードワードインデックスとの組み合わせを使用してＡＣＫ／ＮＡＣＫインデックスを決定する方法を説明する。
【０１６１】
多重搬送波ＭＩＭＯシステムで、コードワードとレイヤとの間の関係が固定されていると仮定する。数式９は、このような仮定の下で適用可能なＡＣＫ／ＮＡＣＫインデックス決定方法の一例を表す。
【０１６２】
［数式９］
ＩACK/NACK  ＝  α・ＩCodeword  ＋  β・ＩCCE
【０１６３】
数式９において、ＩACK/NACK、ＩCodewordおよびＩCCEは、ＡＣＫ／ＮＡＣＫインデックス、コードワードインデックスおよびＣＣＥインデックスをそれぞれ表す。特に、ＩCCEは、送信データの物理的資源位置を指示する制御情報が占有している１個以上のＣＣＥセットのうちの一つになりうる。制御情報が多数のＣＣＥを通して送信されると、多数のＣＣＥのうち特定の規則によって選定されたＣＣＥのインデックスに対応する番号がＩCCEになる。例えば、１個の制御情報が占有している１個以上のＣＣＥに対応するＣＣＥインデックスのうち最も小さいＣＣＥインデックスをＩCCEとすることができる。数式９において、αとβは、数式６の場合と同様に任意の常数になりうる。
【０１６４】
本実施例でも、ＶＲＢインデックスを用いた場合と同様に、ＡＣＫ／ＮＡＣＫ送信のためにＣＣＥインデックスのＮCodeword倍の個数の資源が割り当てられ、同一の時間周波数領域にコードワードを最大ＮCodeword個まで送信することができる。そして、ＣＣＥインデックスＩCCEの個数がＮCCEであるとしたとき、ＡＣＫ／ＮＡＣＫインデックスは、以下の数式１０または数式１１で決定することができる。
【０１６５】
［数式１０］
ＩACK/NACK  ＝  ＮCCE・ＩCodeword  ＋  ＩCCE、
ＩCodeword＝０，１，２，…，ＮCodeword−１、  ＩCCE＝０，１，２，…，ＮCCE−１
【０１６６】
［数式１１］
ＩACK/NACK  ＝  ＩCodeword  ＋  ＮCodeword・ＩCCE、
ＩCodeword＝０，１，２，…，ＮCodeword−１、  ＩCCE＝０，１，２，…，ＮCCE−１
【０１６７】
数式１０及び数式１１に対する説明は、数式６〜数式８に対する説明と同様であるので省略する。
【０１６８】
本発明の更に他の実施例として、上述した追加情報は、前記送信データに割り当てられる仮想単位資源及び前記送信データに対する制御情報に割り当てられる仮想単位資源のうち少なくとも一つによって変更されうる。
【０１６９】
例えば、追加情報の一例であるＩoffset値をデータが送信されたＶＲＢのＶＲＢインデックスによって異なるように解析し、ＡＣＫ／ＮＡＣＫインデックスを得ることができる。これを、以下の数式１２のように表すことができる。
【０１７０】
［数式１２］
ＩACK/NACK  ＝  Ｏ（Ｉoffset）  ＋  ＩVRB、  ＩVRB＝０，１，２，…，ＮVRB−１
【０１７１】
数式１２において、関数Ｏ（）は、Ｉoffset値をデータが送信されたＶＲＢのＶＲＢインデックスによって異なるように解析するための関数とみなすことができ、関数Ｏ（）は、基地局と端末との間で予め定めることができる。
【０１７２】
例えば、各コードワードによって送信されたデータが占めている全てのＶＲＢに関するＶＲＢインデックスの配列のうち最も小さいＶＲＢインデックスを配列の各ＶＲＢインデックスから減算し、この減算したＶＲＢインデックスの配列に含まれる各ＶＲＢインデックスをＶＲＢ差分インデックスという。また、Ｉoffset値としてコードワードインデックスを使用すると仮定する。このとき、関数Ｏ（）の入力は、このＶＲＢ差分インデックスの配列で何番目の値であるかを指示し、関数Ｏ（）の出力は、ＶＲＢ差分インデックスの配列内の値のうち入力値が指示する値になりうる。ここで、ＩVRBは、上述した各実施例の場合と同様に、各コードワードが送信された各ＶＲＢのＶＲＢインデックスのうち最も小さいＶＲＢインデックスを表す。
【０１７３】
このときにＭＩＭＯ方式によって多重化される各コードワードが送信されるＶＲＢの個数が、ＭＩＭＯによる多重化に適用されるランク値以上になるように常に制限しておくと、ＭＩＭＯ送信によって複数のコードワードが同一の周波数−時間領域を通して送信されるとしても、これに必要なＡＣＫ／ＮＡＣＫ資源の量は、ＭＩＭＯ方式が適用されない場合と比較して増加しなくなる。
【０１７４】
ここで、Ｉoffset値が、上述したコードワードインデックスを用いる方法だけでなく、数式３〜数式５を参照して説明したパイロット信号を用いる方法を含む多様な方法で決定されうることは当然である。
【０１７５】
図１６及び図１７を参照して、ＶＲＢインデックスによってオフセットインデックス値を変更する実施例を説明する。
【０１７６】
図１６は、本発明の更に他の実施例によるＡＣＫ／ＮＡＣＫインデックス決定方法の一例を説明するための図である。
【０１７７】
図１６では、互いに異なる端末に１個のコードワードが送信され、各コードワードはＶＲＢインデックス２、４、５、７によって送信され、オフセットインデックスはコードワードインデックスと同一であると仮定する実施例を示す。このとき、全ての端末でのＩVRB値は２になる。
【０１７８】
関数Ｏ（）が、上述したようにＶＲＢ差分インデックスに対応する値を出力する関数であると仮定する。まず、ＶＲＢインデックス２、４、５、７から最も小さいＶＲＢインデックス（２）を引いて、ＶＲＢ差分インデックスを算出する。その結果、ＶＲＢ差分インデックスはそれぞれ０、２、３、５になる。したがって、オフセットインデックス値が０であると、Ｏ（Ｉoffset）値は０になり、オフセットインデックス値が１であると、Ｏ（Ｉoffset）値は２になり、オフセットインデックス値が２であると、Ｏ（Ｉoffset）値は３になり、オフセットインデックス値が３であると、Ｏ（Ｉoffset）値は５になる。
【０１７９】
したがって、数式１２を参照すれば、端末１のＡＣＫ／ＮＡＣＫインデックスは７（＝５＋２）になり、端末２のＡＣＫ／ＮＡＣＫインデックスは５（＝３＋２）になり、端末３のＡＣＫ／ＮＡＣＫインデックスは４（＝２＋２）になり、端末４のＡＣＫ／ＮＡＣＫインデックスは２（＝０＋２）になる。
【０１８０】
図１７は、本発明の更に他の実施例によるＡＣＫ／ＮＡＣＫインデックス決定方法の一例を説明するための図である。
【０１８１】
図１７では、互いに異なる端末に２個のコードワードが送信され、端末１にはデータがＶＲＢインデックス２、５、７によって送信され、端末２にはデータがＶＲＢインデックス３及び８によって送信される。また、オフセットインデックスは、コードワードインデックスと同一であると仮定する。このとき、端末１のＩVRB値は２になり、端末２のＩVRB値は３になる。
【０１８２】
関数Ｏ（）が、上述したようにＶＲＢ差分インデックスに対応する値を出力する関数であると仮定する。まず、端末１のＶＲＢインデックス２、５、７から最も小さいＶＲＢインデックス（２）を引いて、ＶＲＢ差分インデックスを算出する。その結果、端末１のＶＲＢ差分インデックスはそれぞれ０、３、５になる。そして、これと同様に、端末２のＶＲＢインデックス３、８から最も小さいＶＲＢインデックス（３）を引いて、ＶＲＢ差分インデックスを算出する。その結果、端末２のＶＲＢ差分インデックスはそれぞれ０、５になる。
【０１８３】
したがって、数式１２を参照すれば、端末１の場合、コードワードインデックス０に対するデータに該当するＡＣＫ／ＮＡＣＫインデックスは２（＝０＋２）になり、コードワードインデックス１に対するデータに該当するＡＣＫ／ＮＡＣＫインデックスは５（＝３＋２）になる。端末２の場合、コードワードインデックス０に対するデータに該当するＡＣＫ／ＮＡＣＫインデックスは３（＝０＋３）になり、コードワードインデックス１に対するデータに該当するＡＣＫ／ＮＡＣＫインデックスは８（＝５＋３）になる。
【０１８４】
本発明の各実施例は、基地局と端末との間のデータ送受信関係を中心に説明してきた。ここで、基地局は、端末と直接的に通信を行うネットワークの終端ノードとしての意味を有する。本発明で基地局によって行われると説明された特定の動作は、場合によっては基地局の上位ノードによって行われることもある。すなわち、基地局を含む多数のネットワークノードからなるネットワークで端末との通信のために行われる多様な動作が、基地局または基地局以外の他のネットワークノードによって行われることは自明である。‘基地局'は、固定局、Ｎｏｄｅ  Ｂ、ｅＮｏｄｅ  Ｂ（ｅＮＢ）、アクセスポイントなどの用語に置き換えてもよい。また、‘端末'は、ＵＥ（Ｕｓｅｒ  Ｅｑｕｉｐｍｅｎｔ：ユーザ装置）、ＭＳ（Ｍｏｂｉｌｅ  Ｓｔａｔｉｏｎ：移動局）、ＭＳＳ（Ｍｏｂｉｌｅ  Ｓｕｂｓｃｒｉｂｅｒ  Ｓｔａｔｉｏｎ：移動加入者局）などの用語に置き換えてもよい。
【０１８５】
本発明は、本発明の技術的思想及び必須的特徴から逸脱しない範囲で他の特定の形態に具体化されうることが当業者にとって自明である。したがって、上記の詳細な説明は、全ての面で制限的に解析されてはならなく、例示的なものとして考慮されるべきである。本発明の範囲は、添付した特許請求の範囲の合理的解析によって決定されるべきであり、本発明の等価的範囲内での全ての変更は本発明の範囲に含まれる。
【産業上の利用可能性】
【０１８６】
本発明は、移動通信システム、セルラ移動通信システム及びセルラ多重搬送波システムなどに適用される。
【図１】
2010530651.tif 000003
【図２】
2010530651.tif 000004
【図３】
2010530651.tif 000005
【図４】
2010530651.tif 000006
【図５】
2010530651.tif 000007
【図６】
2010530651.tif 000008
【図７】
2010530651.tif 000009
【図８】
2010530651.tif 000010
【図９】
2010530651.tif 000011
【図１０】
2010530651.tif 000012
【図１１】
2010530651.tif 000013
【図１２】
2010530651.tif 000014
【図１３】
2010530651.tif 000015
【図１４】
2010530651.tif 000016
【図１５】
2010530651.tif 000017
【図１６】
2010530651.tif 000018
【図１７】
2010530651.tif 000019